(57)【特許請求の範囲】
【請求項１】
第１のサービスと第２のサービスとの間で共存するためのシステムソリューションを実施するための方法であって、
モバイル端末上で第１のワイヤレスセルラーシステムのための第１のサービス選択を許容することと、
前記モバイル端末上で前記第１のサービス選択を使用してデータ転送を実行することと、
前記モバイル端末上で第２のワイヤレスセルラーシステムのための第２のサービス選択を許容することと、ここにおいて、前記第２のサービスによって使用される前記第２のワイヤレスセルラーシステムのチャネルが前記第１のサービスによって使用される前記第１のワイヤレスセルラーシステムのチャネルに干渉する、
前記モバイル端末上で前記第１のサービス選択を使用した前記データ転送の中断を実施することと、
前記第１のサービスが前記第２のサービスと共存することを可能にする異なるワイヤレスセルラーシステムを使用して前記データ転送をリダイレクトすることと、
前記中断をクリアすること、ここにおいて、前記クリアはリダイレクトされたデータ転送の完了を条件とする、
を備える、方法。
【請求項２】
前記モバイル端末上で前記第２のサービス選択を開始することをさらに備える、請求項１に記載の方法。
【請求項３】
前記第２のサービス選択が完了した後、前記モバイル端末上で前記第１のサービス選択を使用した前記データ転送の前記中断をクリアすることをさらに備える、請求項２に記載の方法。
【請求項４】
前記第１のワイヤレスシステムがＬＴＥシステムに基づく、請求項３に記載の方法。
【請求項５】
前記第２のワイヤレスシステムが順方向リンク専用ワイヤレスブロードキャストシステムに基づく、請求項４に記載の方法。
【請求項６】
前記中断を前記クリアすることが、前記モバイル端末のＣｌａｓｓ  Ｍａｒｋ識別子をクリアすることによって実行されるか、またはモバイル端末スケジューラによって実行される、請求項３に記載の方法。
【請求項７】
前記データ転送の前記中断が前記モバイル端末の識別子を使用することによって実施される、請求項１に記載の方法。
【請求項８】
前記データ転送の前記中断が前記モバイル端末のＣｌａｓｓ  Ｍａｒｋ識別子を使用することによって実施される、請求項１に記載の方法。
【請求項９】
前記データ転送の前記中断がモバイル端末スケジューラを使用することによって実施される、請求項１に記載の方法。
【請求項１０】
前記異なるワイヤレスシステムが、１ｘＥＶＤＯ、ＵＭＴＳまたはＧＳＭ（登録商標）のうちの１つに基づく、請求項１に記載の方法。
【請求項１１】
プロセッサとメモリとを備え、前記メモリが、
モバイル端末上で第１のワイヤレスセルラーシステムのための第１のサービス選択を許容することと、
前記モバイル端末上で前記第１のサービス選択を使用してデータ転送を実行することと、
前記モバイル端末上で第２のワイヤレスセルラーシステムのための第２のサービス選択を許容することと、ここにおいて、前記第２のサービスによって使用される前記第２のワイヤレスセルラーシステムのチャネルが前記第１のサービスによって使用される前記第１のワイヤレスセルラーシステムのチャネルに干渉する、
前記モバイル端末上で前記第１のサービス選択を使用した前記データ転送の中断を実施することと、
前記第１のサービスが前記第２のサービスと共存することを可能にする異なるワイヤレスセルラーシステムを使用して前記データ転送をリダイレクトすることと、
前記中断をクリアすることと、ここにおいて、前記クリアはリダイレクトされたデータ転送の完了を条件とする、
を実行するために前記プロセッサによって実行可能なプログラムコードを含む、装置。
【請求項１２】
前記メモリが、前記モバイル端末上で前記第２のサービス選択を開始するためプログラムコードをさらに備える、請求項１１に記載の装置。
【請求項１３】
前記メモリが、前記第２のサービス選択が完了した後、前記モバイル端末上で前記第１のサービス選択を使用した前記データ転送の前記中断をクリアするためのプログラムコードをさらに備える、請求項１２に記載の装置。
【請求項１４】
前記第１のワイヤレスシステムがＬＴＥシステムに基づく、請求項１３に記載の装置。
【請求項１５】
前記第２のワイヤレスシステムが順方向リンク専用ワイヤレスブロードキャストシステムに基づく、請求項１４に記載の装置。
【請求項１６】
前記中断を前記クリアすることが、前記モバイル端末のＣｌａｓｓ  Ｍａｒｋ識別子をクリアすることによって実行されるか、またはモバイル端末スケジューラによって実行される、請求項１３に記載の装置。
【請求項１７】
前記データ転送の前記中断が前記モバイル端末の識別子を使用することによって実施される、請求項１１に記載の装置。
【請求項１８】
前記データ転送の前記中断が前記モバイル端末のＣｌａｓｓ  Ｍａｒｋ識別子を使用することによって実施される、請求項１１に記載の装置。
【請求項１９】
前記データ転送の前記中断がモバイル端末スケジューラを使用することによって実施される、請求項１１に記載の装置。
【請求項２０】
前記異なるワイヤレスシステムが、１ｘＥＶＤＯ、ＵＭＴＳまたはＧＳＭのうちの１つに基づく、請求項１１に記載の装置。
【請求項２１】
第１のサービスと第２のサービスとの間で共存するためのシステムソリューションを実施するための装置であって、
モバイル端末上で第１のワイヤレスセルラーシステムのための第１のサービス選択を許容するための手段と、
前記モバイル端末上で前記第１のサービス選択を使用してデータ転送を実行するための手段と、
前記モバイル端末上で第２のワイヤレスセルラーシステムのための第２のサービス選択を許容するための手段と、ここにおいて、前記第２のサービスによって使用される前記第２のワイヤレスセルラーシステムのチャネルが前記第１のサービスによって使用される前記第１のワイヤレスセルラーシステムのチャネルに干渉する、
前記モバイル端末上で前記第１のサービス選択を使用した前記データ転送の中断を実施するための手段と、
前記第１のサービスが前記第２のサービスと共存することを可能にする異なるワイヤレスセルラーシステムを使用して前記データ転送をリダイレクトするための手段と、
前記中断をクリアするための手段と、ここにおいて、前記クリアはリダイレクトされたデータ転送の完了を条件とする、
を備える、装置。
【請求項２２】
前記モバイル端末上で前記第２のサービス選択を開始するための手段をさらに備える、請求項２１に記載の装置。
【請求項２３】
前記第２のサービス選択が完了した後、前記モバイル端末上で前記第１のサービス選択を使用した前記データ転送の前記中断をクリアするための手段をさらに備える、請求項２２に記載の装置。
【請求項２４】
前記第１のワイヤレスシステムがＬＴＥシステムに基づく、請求項２３に記載の装置。
【請求項２５】
前記第２のワイヤレスシステムが順方向リンク専用ワイヤレスブロードキャストシステムに基づく、請求項２４に記載の装置。
【請求項２６】
前記中断を前記クリアすることが、前記モバイル端末のＣｌａｓｓ  Ｍａｒｋ識別子をクリアすることによって実行されるか、またはモバイル端末スケジューラによって実行される、請求項２３に記載の装置。
【請求項２７】
前記データ転送の前記中断が前記モバイル端末の識別子を使用することによって実施される、請求項２１に記載の装置。
【請求項２８】
前記データ転送の前記中断が前記モバイル端末のＣｌａｓｓ  Ｍａｒｋ識別子を使用することによって実施される、請求項２１に記載の装置。
【請求項２９】
前記データ転送の前記中断がモバイル端末スケジューラを使用することによって実施される、請求項２１に記載の装置。
【請求項３０】
前記異なるワイヤレスシステムが、１ｘＥＶＤＯ、ＵＭＴＳまたはＧＳＭのうちの１つに基づく、請求項２１に記載の装置。
【請求項３１】
コンピュータに、モバイル端末上で第１のワイヤレスセルラーシステムのための第１のサービス選択を許容させ、
前記コンピュータに、前記モバイル端末上で前記第１のサービス選択を使用してデータ転送を実行させ、
前記コンピュータに、前記モバイル端末上で第２のワイヤレスセルラーシステムのための第２のサービス選択を許容させ、ここにおいて、前記第２のサービスによって使用される前記第２のワイヤレスセルラーシステムのチャネルが前記第１のサービスによって使用される前記第１のワイヤレスセルラーシステムのチャネルに干渉する、
前記コンピュータに、前記モバイル端末上で前記第１のサービス選択を使用した前記データ転送の中断を実施させ、
前記コンピュータに、前記第１のサービスが前記第２のサービスと共存することを可能にする異なるワイヤレスセルラーシステムを使用して前記データ転送をリダイレクトさせ、
前記コンピュータに前記中断をクリアさせる、ここにおいて、前記クリアは前記リダイレクトされたデータ転送の完了を条件とする、
コンピュータプログラム。
【請求項３２】
前記コンピュータに、前記モバイル端末上で前記第２のサービス選択を開始させることをさらに具備する、請求項３１に記載のコンピュータプログラム。
【請求項３３】
前記コンピュータに、前記第２のサービス選択が完了した後、前記モバイル端末上で前記第１のサービス選択を使用した前記データ転送の前記中断をクリアさせることをさらに具備する、請求項３２に記載のコンピュータプログラム。
【請求項３４】
前記第１のワイヤレスシステムがＬＴＥシステムに基づく、請求項３１に記載のコンピュータプログラム。
【発明の詳細な説明】
【技術分野】
【０００１】
本開示は、一般に、ワイヤレス通信のための装置および方法に関する。より詳細には、本開示は２つのワイヤレス通信システムの間で共存を可能にすることに関する。
【背景技術】
【０００２】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システムと、時分割多元接続（ＴＤＭＡ）システム、周波数分割多元接続（ＦＤＭＡ）システム、３rd  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）システム、時分割同期符号分割多元接続（ＴＤ−ＳＣＤＭＡ）システム、および直交周波数分割多元接続（ＯＦＤＭＡ）システムが含まれる。
【０００３】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力（ＳＩＳＯ）、多入力単出力（ＭＩＳＯ）、または多入力多出力（ＭＩＭＯ）システムを介して確立され得る。
【０００４】
ＭＩＭＯシステムは、データ伝送に複数の（ＮT）送信アンテナと複数の（ＮR）受信アンテナとを採用する。ＮT個の送信アンテナおよびＮR個の受信アンテナによって形成されるＭＩＭＯチャネルは、ＮS個の独立チャネルに分解可能で、これは空間チャネルとも呼ばれ、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【０００５】
ＭＩＭＯシステムは時分割複信（ＴＤＤ）システムおよび周波数分割複信（ＦＤＤ）システムをサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【発明の概要】
【０００６】
第１のサービスと第２のサービスとの間で共存するための装置および方法を開示する。一態様によれば、第１のサービスと第２のサービスとの間で共存するためのシステムソリューションを実施するための方法は、モバイル端末上で第１のワイヤレスシステムのための第１のサービス選択を許容することと、モバイル端末上で第１のサービス選択を使用してデータ転送を実行することと、モバイル端末上で第２のワイヤレスシステムのための第２のサービス選択を許容することと、モバイル端末上で第１のサービス選択を使用したデータ転送の中断を実施することと、異なるワイヤレスシステムを使用してデータ転送をリダイレクトすることとを含む。
【０００７】
別の態様によれば、装置はプロセッサとメモリとを備え、メモリは、モバイル端末上で第１のワイヤレスシステムのための第１のサービス選択を許容することと、モバイル端末上で第１のサービス選択を使用してデータ転送を実行することと、モバイル端末上で第２のワイヤレスシステムのための第２のサービス選択を許容することと、モバイル端末上で第１のサービス選択を使用したデータ転送の中断を実施することと、異なるワイヤレスシステムを使用してデータ転送をリダイレクトすることとを実行するためにプロセッサによって実行可能なプログラムコードを含む。
【０００８】
別の態様によれば、第１のサービスと第２のサービスとの間で共存するためのシステムソリューションを実施するための装置は、モバイル端末上で第１のワイヤレスシステムのための第１のサービス選択を許容するための手段と、モバイル端末上で第１のサービス選択を使用してデータ転送を実行するための手段と、モバイル端末上で第２のワイヤレスシステムのための第２のサービス選択を許容するための手段と、モバイル端末上で第１のサービス選択を使用したデータ転送の中断を実施するための手段と、異なるワイヤレスシステムを使用してデータ転送をリダイレクトするための手段とを含む。
【０００９】
別の態様によれば、コンピュータ可読媒体はコンピュータプログラムを記憶し、コンピュータプログラムの実行は、モバイル端末上で第１のワイヤレスシステムのための第１のサービス選択を許容することと、モバイル端末上で第１のサービス選択を使用してデータ転送を実行することと、モバイル端末上で第２のワイヤレスシステムのための第２のサービス選択を許容することと、モバイル端末上で第１のサービス選択を使用したデータ転送の中断を実施することと、異なるワイヤレスシステムを使用してデータ転送をリダイレクトすることとを行うためのものである。
【００１０】
本開示の利点は、ハードウェアフィルタを変更する必要がないので、ＭｅｄｉａＦＬＯ受信機の受信感度を維持することを含み得る。別の潜在的な利点は、データ転送をＬＴＥアップリンク物理インターフェースから別個のアップリンク物理インターフェースへ移動することによって、アップリンクデータ接続を維持することを含み得る。
【００１１】
様々な態様が例として図示され説明される、以下の発明を実施するための形態から、当業者には他の態様が容易に明らかになることを理解されたい。図面および発明を実施するための形態は、本質的に例示的なものと見なされるべきであり、限定的なものと見なされるべきではない。
【図面の簡単な説明】
【００１２】
【図１】多元接続ワイヤレス通信システムの一例を示す図。
【図２】多入力多出力（ＭＩＭＯ）システムにおける（アクセスポイントとしても知られる）送信機システムと（アクセス端末としても知られる）受信機システムとの例示的なブロック図。
【図３】７００ＭＨｚの周辺のスペクトルプロットの一例を示す図。
【図４Ａ】ＬＴＥチャネル５４のためのフィルタオーバーレイプロットの一例を示す図。
【図４Ｂ】ＭｅｄｉａＦＬＯチャネル５５／５６のためのフィルタオーバーレイプロットの一例を示す図。
【図５Ａ】ＬＴＥチャネル５４のための他のフィルタオーバーラッププロットの一例を示す図。
【図５Ｂ】ＭｅｄｉａＦＬＯチャネル５５／５６のための他のフィルタオーバーラッププロットの一例を示す図。
【図６】第１のサービスと第２のサービスとの間で共存するためのシステムソリューションを実施するための例示的な流れ図。
【図７】第１のサービスと第２のサービスとの間で共存するためのシステムソリューションを実施するための第１のデバイスの一例を示す図。
【図８】第１のサービスと第２のサービスとの間で共存するためのシステムソリューションを実施するために適した第２のデバイスの一例を示す図。
【図９】第１のサービスと第２のサービスとの間で共存するためのシステムソリューションを実施するプロセスを実行するためのメモリと通信しているプロセッサを備えるデバイスの一例を示す図。
【発明を実施するための形態】
【００１３】
添付の図面とともに以下に示す発明を実施するための形態は、本開示の様々な態様を説明するものであり、本開示が実施され得る唯一の態様を表すよう意図されていない。本開示で説明する各態様は、本開示の例または説明として提供するものにすぎず、必ずしも他の態様よりも好適であるまたは有利であると解釈すべきではない。発明を実施するための形態は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造およびデバイスをブロック図の形式で示す。頭字語および他の記述的専門用語は、単に便宜のために、かつ明瞭にするためにのみ使用され得、本開示の範囲を限定するよう意図されていない。
【００１４】
説明を簡単にするために、方法を一連の行為として図示し説明するが、いくつかの行為は、１つまたは複数の態様によれば、本明細書で図示し説明する順序とは異なる順序で、かつ／または他の行為と同時に行われ得るので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、示されたすべての行為が必要とされるとは限らない。
【００１５】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（Ｗ−ＣＤＭＡ）と、時分割同期符号分割多元接続（ＴＤ−ＳＣＤＭＡ）（低チップレート（ＬＣＲ）とも呼ばれる）とを含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）など、無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００１６】
シングルキャリア変調および周波数領域等化を利用するシングルキャリア周波数分割多元接続（ＳＣ−ＦＤＭＡ）は、送信技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、その固有のシングルキャリア構造のために、より低いピーク対平均電力比（ＰＡＰＲ）を有する可能性がある。ＳＣ−ＦＤＭＡは、より低いＰＡＰＲが送信電力の効率の観点でモバイル端末に利益をもたらすアップリンク通信で使用され得る。
【００１７】
図１は、多元接続ワイヤレス通信システムの一例を示す。図１は、複数のアンテナグループを含むアクセスポイント１００（ＡＰ）を示し、あるアンテナグループは１０４と１０６とを含み、別のアンテナグループは１０８と１１０とを含み、追加のアンテナグループは１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は各々、通信のために異なる周波数を使用することができる。たとえば、順方向リンク１２０は、逆方向リンク１１８によって使用される周波数とは異なる周波数を使用し得る。
【００１８】
アンテナの各グループ、および／またはアンテナが通信するように設計されたエリアは、しばしば、アクセスポイントのセクタと呼ばれる。本実施形態では、アンテナグループはそれぞれ、アクセスポイント１００によってカバーされる領域のセクタ内でアクセス端末に通信するように設計される。
【００１９】
順方向リンク１２０および１２６上の通信では、アクセスポイント１００の送信アンテナは、異なるアクセス端末１１６および１２２に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００２０】
アクセスポイントは、端末との通信に使用される固定局でもよく、アクセスポイント、ノードＢ、ｅノードＢまたは何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００２１】
図２は、多入力多出力（ＭＩＭＯ）システム２００における（アクセスポイントとしても知られる）送信機システム２１０および（アクセス端末としても知られる）受信機システム２５０の例示的なブロック図を示す。送信機システム２１０において、いくつかのデータストリームのトラフィックデータがデータソース２１２から送信（ＴＸ）データプロセッサ２１４に供給される。
【００２２】
ある実施形態では、各データストリームは、それぞれの送信アンテナを介して送信される。ＴＸデータプロセッサ２１４は、コード化データを与えるために、各データストリームのトラフィックデータを、そのデータストリーム用に選択された特定のコーディング方式に基づいてフォーマットし、コード化し、インターリーブする。
【００２３】
各データストリームのコード化データは、ＯＦＤＭ技法を使用してパイロットデータと多重化し得る。パイロットデータは、典型的には、知られている方法で処理されチャネル応答を推定するために受信機システムにおいて使用され得る、知られているデータパターンである。次いで、各データストリームの多重化されたパイロットデータおよびコード化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コード化、および変調は、プロセッサ２３０によって実行される命令によって判断され得る。
【００２４】
すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭ用に）その変調シンボルを処理し得る。それから、ＴＸ  ＭＩＭＯプロセッサ２２０は、ＮT個の変調シンボルストリームをＮT個の送信機（ＴＭＴＲ）２２２ａ〜２２２ｔに提供する。いくつかの実施形態では、ＴＸ  ＭＩＭＯプロセッサ２２０は、データストリームのシンボルと、シンボルが送信されているアンテナとにビームフォーミング重みを適用する。
【００２５】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次に、送信機２２２ａ〜２２２ｔからのＮT個の変調信号が、ＮT個のアンテナ２２４ａ〜２２４ｔからそれぞれ送信される。
【００２６】
受信機システム２５０において、送信された変調信号が、ＮR個のアンテナ２５２ａ〜２５２ｒによって受信され、各アンテナ２５２からの受信信号が、それぞれの受信機（ＲＣＶＲ）２５４ａ〜２５４ｒに与えられる。各受信機２５４は、それぞれの受信信号を調整（たとえば、フィルタリング、増幅、およびダウンコンバート）し、調整された信号をデジタル化してサンプルを与え、さらにそれらのサンプルを処理して、対応する「受信」シンボルストリームを与える。
【００２７】
次に、ＲＸデータプロセッサ２６０は、ＮR個の受信機２５４からＮR個の受信シンボルストリームを受信し、それらのＮR個の受信シンボルストリームを特定の受信機処理技術に基づいて処理してＮT個の「検出」シンボルストリームを提供する。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００２８】
プロセッサ２７０は、どのプリコーディング行列を使用すべきかを周期的に決定する（後述）。プロセッサ２７０は、行列インデックス部とランク値部とを備える逆方向リンクメッセージを作成する。
【００２９】
逆方向リンクメッセージは、通信リンクおよび／または受信データストリームに関する様々なタイプの情報を含み得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００３０】
送信機システム２１０において、受信機システム２５０からの変調信号は、アンテナ２２４によって受信され、受信機２２２によって調整され、復調器２４０によって復調され、受信機システム２５０によって送信された逆方向リンクメッセージを抽出するためにＲＸデータプロセッサ２４２によって処理される。次いで、プロセッサ２３０は、ビームフォーミング重みを決定するためにどのプリコーディング行列を使用すべきかを決定し、次いで、抽出されたメッセージを処理する。
【００３１】
一態様では、論理チャネルは、制御チャネルとトラフィックチャネルとに分類される。論理制御チャネルは、システム制御情報をブロードキャストするためのダウンリンクチャネルであるブロードキャスト制御チャネル（ＢＣＣＨ）、ページング情報を転送するダウンリンクチャネルであるページング制御チャネル（ＰＣＣＨ）、ならびに１つまたは複数のＭＴＣＨのためのマルチメディアブロードキャストおよびマルチキャストサービス（ＭＢＭＳ）スケジューリングおよび制御情報を送信するために使用されるポイントツーマルチポイントダウンリンクチャネルであるマルチキャスト制御チャネル（ＭＣＣＨ）を含み得る。
【００３２】
通常、ＲＲＣ接続を確立した後で、このＭＣＣＨは、ＭＢＭＳを受信するＵＥだけによって使用される（注記：旧ＭＣＣＨ＋ＭＳＣＨ）。専用制御チャネル（ＤＣＣＨ）は、専用制御情報を送信するポイントツーポイント双方向チャネルであり、ＲＲＣ接続を有するＵＥによって使用される。態様では、論理トラフィックチャネルは、ユーザ情報の転送のための、１つのＵＥに専用の、ポイントツーポイント双方向チャネルである専用トラフィックチャネル（ＤＴＣＨ）を含み得る。また、マルチキャストトラフィックチャネル（ＭＴＣＨ）は、トラフィックデータを送信するためのポイントツーマルチポイントダウンリンクチャネルのために使用され得る。
【００３３】
一態様では、トランスポートチャネルは、ダウンリンク（ＤＬ）チャネルとアップリンク（ＵＬ）チャネルとに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを含んでもよく、これらのチャネルは、セル全体にわたってブロードキャストされ、他の制御／トラフィックチャネル用に使用できるＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを含み得る。ＰＨＹチャネルは、ＤＬチャネルとＵＬチャネルとのセットを含み得る。
【００３４】
一態様では、ＤＬ  ＰＨＹチャネルは以下のうちの１つまたは複数を含み得る。
【００３５】
・  共通パイロットチャネル（ＣＰＩＣＨ）
・  同期チャネル（ＳＣＨ）
・  共通制御チャネル（ＣＣＣＨ）
・  共有ＤＬ制御チャネル（ＳＤＣＣＨ）
・  マルチキャスト制御チャネル（ＭＣＣＨ）
・  共有ＵＬ割当てチャネル（ＳＵＡＣＨ）
・  肯定応答チャネル（ＡＣＫＣＨ）
・  ＤＬ物理共有データチャネル（ＤＬ−ＰＳＤＣＨ）
・  ＵＬ電力制御チャネル（ＵＰＣＣＨ）
・  ページングインジケータチャネル（ＰＩＣＨ）
・  負荷インジケータチャネル（ＬＩＣＨ）
一態様では、ＵＬ  ＰＨＹチャネルは以下のうちの１つまたは複数を含み得る。
【００３６】
・  物理ランダムアクセスチャネル（ＰＲＡＣＨ）
・  チャネル品質インジケータチャネル（ＣＱＩＣＨ）
・  肯定応答チャネル（ＡＣＫＣＨ）
・  アンテナサブセットインジケータチャネル（ＡＳＩＣＨ）
・  共有要求チャネル（ＳＲＥＱＣＨ）
・  ＵＬ物理共有データチャネル（ＵＬ−ＰＳＤＣＨ）
・  ブロードバンドパイロットチャネル（ＢＰＩＣＨ）
一態様では、シングルキャリア波形の低ピーク対平均電力比（ＰＡＰＲ）特性を維持するチャネル構造が提供される（すなわち、所与の時間に、チャネルは、周波数が連続するかまたは一様に離間される）。
【００３７】
本開示のために、以下の省略形のうちの１つまたは複数が適用される。
【００３８】
ＡＭ  確認通知モード
ＡＭＤ  確認通知モードデータ
ＡＲＱ  自動再送要求
ＢＣＣＨ  ブロードキャスト制御チャネル
ＢＣＨ  ブロードキャストチャネル
Ｃ−  制御
ＣＣＣＨ  共通制御チャネル
ＣＣＨ  制御チャネル
ＣＣＴｒＣＨ  符号化複合トランスポートチャネル（Coded Composite Transport Channel）
ＣｏＭＰ  多地点協調
ＣＰ  巡回プレフィックス
ＣＲＣ  巡回冗長検査
ＣＴＣＨ  共通トラフィックチャネル
ＤＣＣＨ  専用制御チャネル
ＤＣＨ  専用チャネル
ＤＣＩ  ダウンリンク制御情報
ＤＬ  ダウンリンク
ＤＬ−ＳＣＨ  ダウンリンク共有チャネル
ＤＳＣＨ  ダウンリンク共有チャネル
ＤＴＣＨ  専用トラフィックチャネル
ＦＡＣＨ  順方向リンクアクセスチャネル
ＦＤＤ  周波数分割複信
Ｌ１  レイヤ１（物理層）
Ｌ２  レイヤ２（データリンク層）
Ｌ３  レイヤ３（ネットワーク層）
ＬＩ  長さインジケータ
ＬＳＢ  最下位ビット
ＬＴＥ  Ｌｏｎｇ  Ｔｅｒｍ  Ｅｖｏｌｕｔｉｏｎ
ＬＴＥ−Ａ  ＬＴＥ−Ａｄｖａｎｃｅｄ  または  Ｌｏｎｇ  Ｔｅｒｍ  Ｅｖｏｌｕｔｉｏｎ−Ａｄｖａｎｃｅｄ
ＭＡＣ  媒体アクセス制御
ＭＢＭＳ  マルチメディアブロードキャストマルチキャストサービス
ＭＢＳＦＮ  マルチキャストブロードキャスト単一周波数ネットワーク
ＭＣＥ  ＭＢＭＳ調整エンティティ（coordinating entity）
ＭＣＣＨ  ＭＢＭＳポイントツーマルチポイント制御チャネル
ＭＣＨ  マルチキャストチャネル
ＭＲＷ  移動受信ウィンドウ（Move Receiving Window）
ＭＳＢ  最上位ビット
ＭＳＣＨ  ＭＢＭＳポイントツーマルチポイントスケジューリングチャネルまたはＭＢＭＳ制御チャネル
ＭＴＣＨ  ＭＢＭＳポイントツーマルチポイントトラフィックチャネル
ＰＢＣＨ  物理ブロードキャストチャネル
ＰＣＣＨ  ページング制御チャネル
ＰＣＨ  ページングチャネル
ＰＣＦＩＣＨ  物理制御フォーマットインジケータチャネル
ＰＤＣＣＨ  物理ダウンリンク制御チャネル
ＰＤＳＣＨ  物理ダウンリンク共有チャネル
ＰＤＵ  プロトコルデータユニット
ＰＨＩＣＨ  物理ハイブリッドＡＲＱインジケータチャネル
ＰＨＹ  物理層
ＰｈｙＣＨ  物理チャネル
ＰＭＣＨ  物理マルチキャストチャネル
ＰＲＡＣＨ  物理ランダムアクセスチャネル
ＰＵＳＣＨ  物理アップリンク共有チャネル
ＰＵＣＣＨ  物理アップリンク制御チャネル
ＲＡＣＨ  ランダムアクセスチャネル
ＲＬＣ  無線リンク制御
ＲＲＣ  無線リソース制御
ＲＮＴＩ  無線ネットワーク一時識別子
ＳＡＰ  サービスアクセスポイント
ＳＤＵ  サービスデータユニット
ＳＨＣＣＨ  共有チャネル制御チャネル
ＳＮ  シーケンス番号
ＳＮＲ  信号対雑音比
ＳＵＦＩ  スーパーフィールド
ＴＣＨ  トラフィックチャネル
ＴＤＤ  時分割複信
ＴＦＩ  トランスポートフォーマットインジケータ
ＴＭ  透過型モード
ＴＭＤ  透過型モードデータ
ＴＴＩ  送信時間間隔
Ｕ−  ユーザ
ＵＥ  ユーザ装置
ＵＬ  アップリンク
ＵＭ  非確認モード
ＵＭＤ  非確認モードデータ
ＵＭＴＳ  ユニバーサルモバイル電気通信システム
ＵＴＲＡ  ＵＭＴＳ地上無線アクセス
ＵＴＲＡＮ  ＵＭＴＳ地上波無線アクセスネットワーク
一態様では、ＬＴＥ−Ａｄｖａｎｃｅｄ（ＬＴＥ−Ａ）は、ＵＭＴＳプロトコルファミリーにおける次世代ワイヤレス技術の進化である。ＬＴＥ−Ａシステムの所望の目的には、たとえば、ダウンリンク上での最大１Ｇｂ／ｓのデータレートの向上がある。さらに、ＬＴＥ−Ａワイヤレスシステムの展開は、前のＬＴＥインフラストラクチャにおいて行われた財政投資を保護するためにＬＴＥシステムと後方互換性がなければならない。さらに、ＬＴＥ−Ａシステムの別の目的は、スペクトル効率の改善、すなわち、１ヘルツ当たりのビット毎秒（ｂｐｓ／Ｈｚ）で表される、単位帯域幅当たりのデータスループットの向上である。ワイヤレス送信のために利用可能なスペクトルリソースは世界中で厳しく制限され、厳密に規制されているので、スペクトル効率の改善はワイヤレス通信業界の成長にとって極めて重要である。
【００３９】
本開示では、ＬＴＥの第１の展開をＬＴＥリリース８（Ｒｅｌ−８）と呼ぶ。変更ＬＴＥバージョンは、ＬＴＥリリース９（Ｒｅｌ−９）として知られる。本開示では、ＬＴＥリリース８／９の次のアップグレードをＬＴＥ−Ａｄｖａｎｃｅｄ（ＬＴＥ−Ａ）またはＬＴＥ  Ｒｅｌ−１０＋のいずれかと呼ぶ。本開示では、「１０＋」参照符は、「リリース１０」バージョンまたはより後のバージョンを示す。しかしながら、特定のＬＴＥバージョンまたは「ＬＴＥ」という用語へのいかなる参照も例としてのみ記載しており、他のＬＴＥバージョンが適用可能であり得るため、特定のＬＴＥバージョンだけに限定されるものとして解釈すべきではない。将来のアップグレードバージョンに割り当てられる名前にかかわらず、本開示の範囲および趣旨が、本明細書で説明する適用可能な特性とともにＬＴＥの将来のアップグレードに適用可能であることを当業者ならば理解されよう。
【００４０】
一態様では、ＬＴＥ−Ａにおける１つの提案されている特徴はキャリア拡張（carrier extension）として知られている。一例では、たとえば、最大１００ＭＨｚのより広い帯域幅を与えるために、個々のコンポーネントキャリアが拡張され得る。
【００４１】
一態様では、ＬＴＥ−Ａに適合するユーザ機器（ＵＥ）は、キャリア拡張の使用により、たとえばＬＴＥ  Ｒｅｌ−８のみに適合するＵＥとはシステム帯域幅の割振りが異なり得る。ＬＴＥダウンリンクまたはＬＴＥ−Ａダウンリンクのリソース割当てと他の制御データとは、ダウンリンク制御情報（ＤＣＩ：Downlink Control Information）として知られるメッセージ中で搬送される。
【００４２】
Ｌｏｎｇ  Ｔｅｒｍ  Ｅｖｏｌｕｔｉｏｎ（ＬＴＥ）は、ワイヤレス通信のための世界的なプロトコルファミリーである、ユニバーサルモバイル電気通信システム（ＵＭＴＳ：Universal Mobile Telecommunications System）の次世代発展形である。ＬＴＥは、ＯＦＤＭマルチキャリア伝送、送信と受信の両方のための複数のアンテナのプロビジョン、およびインターネットプロトコル（ＩＰ）パケット交換ネットワークインフラストラクチャを含む、以前のワイヤレス技術と比較して、いくつかの新しい技術的特徴を与える。特に、ＯＦＤＭは、多種多様なユーザサービスを与えるために多くのフレキシブルな方法でアグリゲートされ得る直交する時間リソースと周波数リソースとの２次元アレイに依拠する。
【００４３】
一態様では、ユーザがワイヤレス通信のために携帯する移動局またはモバイル端末はユーザ機器（ＵＥ）として知られている。概して、ＵＥは、ＵＥのためのワイヤレスネットワークアクセスノードを表す、基地局としても一般的に知られる発展型ノードＢ（ｅノードＢ）へのワイヤレス双方向リンクを介して、ワイヤレスネットワークか、または公衆交換電話網（ＰＳＴＮ）、インターネット、プライベートネットワーク、ワイドエリアネットワーク（ＷＡＮ）などの一般的な通信インフラストラクチャのいずれかの中の他のユーザに接続する。アクセスノード（たとえばｅノードＢ）とは別個の他のワイヤレスネットワーク要素はコアネットワーク（ＣＮ）の一部と見なされる。ｅノードＢは、サービングゲートウェイ（Ｓ−ＧＷ）およびモビリティ管理エンティティ（ＭＭＥ）などの他のネットワーク要素に接続される。一態様では、Ｓ−ＧＷは、ＵＥが異なるｅノードＢ間で移動するとき、データベアラのためのモビリティアンカーとして働く。別の態様では、ＭＭＥは、ＵＥとコアネットワーク（ＣＮ）との間のシグナリングを管理するための制御エンティティとして働く。Ｓ−ＧＷは、たとえば、グローバルインターネットへのＬＴＥポータルとして機能するパケットデータネットワークゲートウェイ（Ｐ−ＧＷ）とインターフェースする。Ｐ−ＧＷはまた、ＵＥのためのＩＰアドレスを割り振り、ポリシールールに基づいてサービス品質（ＱｏＳ）をエンフォースする。
【００４４】
一態様では、ＬＴＥにおけるダウンリンクリソースは、より小さい基本的な時間リソースと周波数リソースとに区分される。たとえば、時間次元では、無線フレームは、１０ｍｓの持続時間を有し、各々の持続時間が１ｍｓの１０個のサブフレームに分割される。さらに、各サブフレームは、２個の０．５ｍｓのスロットに分割される。通常のサイクリックプレフィックス長の場合、各スロットは７個のＯＦＤＭシンボルを含む。周波数次元では、リソースブロック（ＲＢ）は、各々が１５ｋＨｚのサブキャリア帯域幅をもつ１２個のサブキャリアのグループである。サブキャリアは、たとえば、トーンとしても示される。１つのリソース要素（ＲＥ）は、１つのサブキャリアと１つのＯＦＤＭシンボルとからなる、ＬＴＥにおける最小リソースユニットである。
【００４５】
別の態様では、いくつかのリソースブロックは、同期信号、基準信号、制御信号およびブロードキャストシステム情報などの特殊な信号に専用である。ＬＴＥにおける３つの必須の同期ステップは、必要なシンボルタイミング収集、キャリア周波数同期、およびサンプリングクロック同期である。一例では、ＬＴＥは、各セルについて２つの特殊な同期信号、すなわち、時間および周波数同期のために使用される１次同期信号（ＰＳＳ）と、セル識別、サイクリックプレフィックス長、複信方法など、いくつかのシステムパラメータのブロードキャスティングのために使用される２次同期信号（ＳＳＳ）とに依拠する。概して、最初にＵＥによってＰＳＳが検出され、その後、ＳＳＳ検出が行われる。
【００４６】
一態様では、ＰＳＳは、定振幅チャープ様（chirp-like）デジタルシーケンスであるＺａｄｏｆｆ−Ｃｈｕシーケンスに基づく。概して、ＵＥによって利用可能なアプリオリなチャネル情報がないと仮定されるので、ＰＳＳはＵＥによって非コヒーレントに検出される（すなわち、位相情報を用いない検出）。別の態様では、ＳＳＳは、最長シーケンス（Ｍシーケンスとしても知られる）に基づく。ＳＳＳの検出はＰＳＳの検出後に実行されるので、ＰＳＳ検出後にチャネル状態情報（ＣＳＩ）がＵＥにとって利用可能である場合、ＳＳＳのコヒーレント検出（すなわち、位相情報を用いた検出）が利用可能であり得る。しかしながら、いくつかのシナリオでは、たとえば、隣接するｅノードＢからのコヒーレント干渉の場合、ＳＳＳの非コヒーレント検出が必要とされることがある。
【００４７】
別の態様では、ＰＳＳ検出およびＳＳＳ検出が達成された後、新しいセル識別の場合、ＵＥは、ＬＴＥダウンリンクからのいくつかの基準信号（ＲＳ）を取得し、追跡する。ＬＴＥダウンリンクは、一例では、次のように３つの一意のＲＳタイプを含んでいることがある。
【００４８】
・  セル内のすべてのＵＥにブロードキャストされる、セル固有ＲＳ
・  いくつかのＵＥのみを対象とする、ＵＥ固有ＲＳ
・  マルチメディアブロードキャスト単一周波数ネットワーク（ＭＢＳＦＮ）動作のみを対象とする、ＭＢＳＦＮ固有ＲＳ
一態様では、重複するカバレージエリアと共有無線帯域とを備えた異なるワイヤレスシステムは、互いに干渉する場合がある。たとえば、干渉は隣接チャネル干渉に起因する場合がある。第１のワイヤレスシステムのアップリンクチャネルは、第２のワイヤレスシステムのチャネルに隣接する場合がある。たとえば、第１のワイヤレスシステムはＬＴＥに基づく場合があり、第２のワイヤレスシステムはＭｅｄｉａＦｌｏに基づく場合がある。一態様では、ＭｅｄｉａＦＬＯは、小型のワイヤレスデバイスによる受信のために最適化された順方向リンク専用（ＦＬＯ）ワイヤレスブロードキャストシステムである。一例では、ＬＴＥアップリンクチャネル５４は、ＭｅｄｉａＦＬＯ受信チャネル５５およびチャネル５６に隣接する。一態様では、隣接チャネル干渉は、異なるワイヤレスシステムに対して共存問題を引き起こす場合がある。一例では、共有無線帯域は７００ＭＨｚの周辺である。
【００４９】
図３は、７００ＭＨｚの周辺のスペクトルプロットの一例を示す。７００ＭＨｚ周辺のＭｅｄｉａＦＬＯを含む様々な通信サービスを示す。具体的には、ＭｅｄｉａＦＬＯ受信チャネル５５および５６を、ＬＴＥ送信チャネルに隣接して示す。
【００５０】
図４Ａおよび図４Ｂは、それぞれＬＴＥチャネル５４およびＭｅｄｉａＦＬＯチャネル５５／５６のためのフィルタオーバーレイプロットの例を示す。フィルタオーバーレイプロットは、周波数領域における振幅伝達関数を示す。（図４Ａに示す）一例では、ＬＴＥチャネル５４のためのフィルタはデュプレクサとして実装される。（図４に示す）別の例では、ＭｅｄｉａＦＬＯチャネル５５／５６のためのフィルタはシングルチャネルフィルタとして実装される。
【００５１】
図５Ａおよび図５Ｂは、ＬＴＥチャネル５４（図５Ａ）のため、およびＭｅｄｉａＦＬＯチャネル５５／５６（図５Ｂ）のための他のフィルタオーバーラッププロットの例を示す。一例では、同調アンテナはフィルタの一部として実装される。
【００５２】
表１には、利用可能な発展型ＵＭＴＳ地上波無線アクセス（Ｅ−ＵＴＲＡ）周波数帯域の例を記載する。一態様では、表１はアップリンク動作帯域、ダウンリンク動作帯域および複信モード（周波数分割複信（ＦＤＤ）または時分割複信（ＴＤＤ））を示す。
【表１】
0005739022.tif 000002
【００５３】
本開示は、ＭｅｄｉａＦＬＯとＬＴＥとの共存のためのシステムソリューションの一例を開示する。一態様では、モバイルユーザがＭｅｄｉａＦＬＯサービスを選択する場合、モバイルユーザのためのモバイル端末はＬＴＥアップリンク物理インターフェースを中断する。一例では、中断はモバイル端末の識別子を設定することによって実行され得る。一例では、中断はモバイル端末のＣｌａｓｓ  Ｍａｒｋ識別子を設定することによって実行され得る。Ｃｌａｓｓ  Ｍａｒｋ識別子は、たとえばモード機能、複信機能、暗号化機能、周波数帯域機能などのモバイル端末の機能を記述する情報のセットである。Ｃｌａｓｓ  Ｍａｒｋ識別子の使用は、ワイヤレスネットワークにＬＴＥネットワークを使用しないように伝える。たとえば、ソフトウェア実装に基づくモバイル端末スケジューラは、Ｃｌａｓｓ  Ｍａｒｋ識別子の設定を起動するために実行され得る。一例では、Ｃｌａｓｓ  Ｍａｒｋ識別子の設定は、ＭｅｄｉａＦＬＯ動作の開始前に起動される。一態様では、ＬＴＥアップリンク物理インターフェースを介するデータ転送は、その中断の前に別個のアップリンク物理インターフェースによって転送され得る。別個のアップリンク物理インターフェースは、１ｘＥＶＤＯ、ＵＭＴＳまたはＧＳＭなどの別のワイヤレスシステムであり得る。別の態様では、ＬＴＥデータ転送が完了した後、Ｃｌａｓｓ  Ｍａｒｋ識別子の設定はモバイル端末スケジューラによってクリアされる。
【００５４】
別の態様では、開示するシステムソリューションは、７００ＭＨｚの共有無線帯域以外の異なるワイヤレス無線帯域に適用することができる。また、データ転送は、アップリンク物理インターフェース以外に他の物理インターフェース上で実行することができる。さらに、開示するシステムソリューションは、フェムトセルが自宅または会社などの非常に小さなエリアをカバーする無線セルであるフェムトセル構造にも同様に適用することができる。当業者であれば、開示する例が本開示の精神および範囲だけに限定されないことを理解されよう。
【００５５】
図６は、第１のサービスと第２のサービスとの間で共存するためのシステムソリューションを実施するための例示的な流れ図を示している。ブロック６１０で、モバイル端末上で第１のワイヤレスシステムのための第１のサービス選択を許容する。一例では、第１のワイヤレスシステムはＬＴＥシステムに基づく。ブロック６２０で、モバイル端末上で第１のサービス選択を使用してデータ転送を実行する。ブロック６３０で、モバイル端末上で第２のワイヤレスシステムのための第２のサービス選択を許容する。一例では、第２のワイヤレスシステムは、たとえばＭｅｄｉａＦＬＯシステムなどの順方向リンク専用ワイヤレスブロードキャストシステムに基づく。ブロック６４０で、モバイル端末上で第１のサービス選択を使用したデータ転送の中断を実施する。一例では、中断はモバイル端末の識別子を使用することによって実施される。一例では、中断はモバイル端末のＣｌａｓｓ  Ｍａｒｋ識別子を使用することによって実施される。別の例では、中断はモバイル端末スケジューラによって実施される。ブロック６５０で、異なるワイヤレスシステムを使用してデータ転送をリダイレクトする。一例では、異なるワイヤレスシステムは１ｘＥＶＤＯ、ＵＭＴＳ、ＧＳＭなどに基づき得る。ブロック６６０で、モバイル端末上で第２のサービス選択を開始する。一例では、第２のサービス選択は、たとえばＭｅｄｉａＦＬＯシステムなどの順方向リンク専用ワイヤレスブロードキャストシステムに基づく。ブロック６７０で、第２のサービス選択が完了した後、モバイル端末上で第１のサービス選択を使用したデータ転送の中断をクリアする。一例では、中断のクリアは、モバイル端末のＣｌａｓｓ  Ｍａｒｋ識別子をクリアすることによって実行される。別の例では、中断はモバイル端末スケジューラによってクリアされる。
【００５６】
図７は、第１のサービスと第２のサービスとの間で共存するためのシステムソリューションを実施するための第１のデバイス７００の一例を示す。デバイス７００は、通信デバイスとして、あるいは通信デバイス内で使用するためのプロセッサまたは同様のデバイスとして構成され得る。図示のように、デバイス７００は、プロセッサ、ソフトウェア、ハードウェアまたはそれらの組合せ（たとえば、ファームウェア）によって実装される機能を表すことができる機能ブロックを含み得る。
【００５７】
図示のように、デバイス７００は、モバイル端末上で第１のワイヤレスシステムのための第１のサービス選択を許容するための電気的構成要素７１０を含み得る。デバイス７００は、モバイル端末上で第１のサービス選択を使用してデータ転送を実行するための電気的構成要素７２０を含み得る。デバイス７００は、モバイル端末上で第２のワイヤレスシステムのための第２のサービス選択を許容するための電気的構成要素７３０を含み得る。デバイス７００は、モバイル端末上で第１のサービス選択を使用したデータ転送の中断を実施するための電気的構成要素７４０を含み得る。デバイス７００は、異なるワイヤレスシステムを使用してデータ転送をリダイレクトするための電気的構成要素７５０を含み得る。デバイス７００は、モバイル端末上で第２のサービス選択を開始するための電気的構成要素７６０を含み得る。デバイス７００は、第２のサービス選択が完了した後、モバイル端末上で第１のサービス選択を使用したデータ転送の中断をクリアするための電気的構成要素７７０を含み得る。
【００５８】
デバイス７００は、場合によっては、少なくとも１つのプロセッサを有するプロセッサモジュール７０２を含み得る。一態様では、デバイス７００は、プロセッサとしてではなく、通信ネットワークエンティティとして構成され得る。そのような場合、プロセッサ７０２は、バス７０４または同様の通信結合を介して電気的構成要素７１０〜７７０と動作可能に通信し得る。プロセッサ７０２は、電気的構成要素７１０〜７７０によって実行されるプロセスまたは機能の開始とスケジューリングとを実施し得る。
【００５９】
関係する態様では、デバイス７００はトランシーバモジュール７０６を含み得る。トランシーバモジュール７０６の代わりにまたはトランシーバモジュール７０６とともに、スタンドアロン受信機および／またはスタンドアロン送信機が使用され得る。さらなる関係する態様では、デバイス７００は、場合によっては、たとえば、メモリモジュール７０８など、情報を記憶するためのモジュールを含み得る。メモリモジュール７０８は、コンピュータ可読媒体を含み得、バス７０４などを介してデバイス７００の他の構成要素に動作可能に結合され得る。メモリモジュール７０８は、電気的構成要素７１０〜７７０、およびそれらの副構成要素、またはプロセッサ７０２、または本明細書で開示する方法のプロセスおよび挙動を実施するための、コンピュータ可読コード、命令および／またはデータを記憶するように適応され得る。メモリモジュール７０８は、電気的構成要素７１０〜７７０に関連する機能を実行するためのコード／命令を保持し得る。メモリモジュール７０８の外部にあるものとして示されているが、電気的構成要素７１０〜７７０はメモリモジュール７０８の内部に存在し得ることを理解されたい。
【００６０】
図６の例示的な流れ図に開示したステップは、本開示の範囲および趣旨から逸脱することなくそれらの順序を交換され得ることを当業者ならば理解されよう。また、流れ図に示すステップは排他的なものではなく、本開示の範囲および趣旨に影響を及ぼすことなく他のステップを含み得るかあるいは例示的な流れ図のステップのうちの１つまたは複数を削除し得ることを当業者ならば理解されよう。
【００６１】
さらに、本明細書で開示する例に関して説明する様々な例示的な構成要素、論理ブロック、モジュール、回路、および／またはアルゴリズムステップは、電子ハードウェア、ファームウェア、コンピュータソフトウェア、またはそれらの組合せとして実装され得ることを当業者ならば諒解されよう。ハードウェア、ファームウェア、およびソフトウェアのこの互換性を明確に示すために、様々な例示的な構成要素、ブロック、モジュール、回路、および／またはアルゴリズムステップについて、上記では概してそれらの機能に関して説明してきた。そのような機能をハードウェアとして実装するか、ファームウェアとして実装するか、またはソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲または趣旨からの逸脱を生じるものと解釈すべきではない。
【００６２】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。ソフトウェアの場合、実装は、本明細書で説明する機能を実行するモジュール（たとえば、プロシージャ、関数など）を介し得る。ソフトウェアコードは、メモリユニットに記憶され、プロセッサユニットによって実行され得る。さらに、本明細書で説明する様々な例示的な流れ図、論理ブロック、モジュール、および／またはアルゴリズムステップは、当技術分野で知られている任意のコンピュータ可読媒体上に担持されるかまたは当技術分野で知られている任意のコンピュータプログラム製品に実装されたコンピュータ可読命令としてもコード化され得る。一態様では、コンピュータ可読媒体は非一時的コンピュータ可読媒体を含む。
【００６３】
１つまたは複数の例では、本明細書で説明するステップまたは機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００６４】
図８は、第１のサービスと第２のサービスとの間で共存するためのシステムソリューションを実施するために適した第２のデバイス８００の一例を示す。一態様では、デバイス８００は、本明細書でブロック８１０、８２０、８３０、８４０、８５０、８６０および８７０において説明するように、第１のサービスと第２のサービスとの間で共存するためのシステムソリューションを実施する異なる態様を提供するように構成された１つまたは複数のモジュールを備える少なくとも１つのプロセッサによって実装される。たとえば、各モジュールはハードウェア、ファームウェア、ソフトウェア、またはそれらの任意の組合せを含む。一態様では、デバイス８００は、少なくとも１つのプロセッサと通信している少なくとも１つのメモリによっても実装される。
【００６５】
一例では、本明細書で説明する例示的な構成要素、流れ図、論理ブロック、モジュール、および／またはアルゴリズムステップは、１つまたは複数のプロセッサを用いて実装または実行される。一態様では、プロセッサは、本明細書で説明する様々な流れ図、論理ブロックおよび／またはモジュールを実装または実行するために、プロセッサによって実行されるデータ、メタデータ、プログラム命令などを記憶するメモリに結合される。  図９は、第１のサービスと第２のサービスとの間で共存するためのシステムソリューションを実施するプロセスを実行するためのメモリ９２０と通信しているプロセッサ９１０を備えるデバイス９００の一例を示す。一例では、デバイス９００は、図６に示すアルゴリズムを実装するために使用される。一態様では、メモリ９２０はプロセッサ９１０内に配置される。別の態様では、メモリ９２０はプロセッサ９１０の外部にある。一態様では、プロセッサは、本明細書で説明する様々な流れ図、論理ブロックおよび／またはモジュールを実装または実行するための回路を含む。
【００６６】
開示された態様の前述の説明は、当業者が本開示を実施または使用できるようにするために提供されるものである。これらの態様への様々な修正は当業者には容易に明らかになり、本明細書で定義した一般原理は、本開示の趣旨または範囲から逸脱することなく他の態様に適用され得る。
以下に本件出願当初の特許請求の範囲を付記する。
［Ｃ１］
第１のサービスと第２のサービスとの間で共存するためのシステムソリューションを実施するための方法であって、
モバイル端末上で第１のワイヤレスセルラーシステムのための第１のサービス選択を許容することと、
前記モバイル端末上で前記第１のサービス選択を使用してデータ転送を実行することと、
前記モバイル端末上で第２のワイヤレスセルラーシステムのための第２のサービス選択を許容することであって、前記第２のサービスによって使用される前記第２のワイヤレスセルラーシステムのチャネルが前記第１のサービスによって使用される前記第１のワイヤレスセルラーシステムのチャネルに干渉することと、
前記モバイル端末上で前記第１のサービス選択を使用した前記データ転送の中断を実施することと、
前記第１のサービスが前記第２のサービスと共存することを可能にする異なるワイヤレスセルラーシステムを使用して前記データ転送をリダイレクトすることとを備える、方法。
［Ｃ２］
前記モバイル端末上で前記第２のサービス選択を開始することをさらに備える、請求項１に記載の方法。
［Ｃ３］
前記第２のサービス選択が完了した後、前記モバイル端末上で前記第１のサービス選択を使用した前記データ転送の前記中断をクリアすることをさらに備える、請求項２に記載の方法。
［Ｃ４］
前記第１のワイヤレスシステムがＬＴＥシステムに基づく、請求項３に記載の方法。
［Ｃ５］
前記第２のワイヤレスシステムが順方向リンク専用ワイヤレスブロードキャストシステムに基づく、請求項４に記載の方法。
［Ｃ６］
前記中断を前記クリアすることが、前記モバイル端末のＣｌａｓｓ  Ｍａｒｋ識別子をクリアすることによって実行されるか、またはモバイル端末スケジューラによって実行される、請求項３に記載の方法。
［Ｃ７］
前記データ転送の前記中断が前記モバイル端末の識別子を使用することによって実施される、請求項１に記載の方法。
［Ｃ８］
前記データ転送の前記中断が前記モバイル端末のＣｌａｓｓ  Ｍａｒｋ識別子を使用することによって実施される、請求項１に記載の方法。
［Ｃ９］
前記データ転送の前記中断がモバイル端末スケジューラによって実施される、請求項１に記載の方法。
［Ｃ１０］
前記異なるワイヤレスシステムが、１ｘＥＶＤＯ、ＵＭＴＳまたはＧＳＭのうちの１つに基づく、請求項１に記載の方法。
［Ｃ１１］
プロセッサとメモリとを備え、前記メモリが、
モバイル端末上で第１のワイヤレスセルラーシステムのための第１のサービス選択を許容することと、
前記モバイル端末上で前記第１のサービス選択を使用してデータ転送を実行することと、
前記モバイル端末上で第２のワイヤレスセルラーシステムのための第２のサービス選択を許容することであって、前記第２のサービスによって使用される前記第２のワイヤレスセルラーシステムのチャネルが前記第１のサービスによって使用される前記第１のワイヤレスセルラーシステムのチャネルに干渉することと、
前記モバイル端末上で前記第１のサービス選択を使用した前記データ転送の中断を実施することと、
前記第１のサービスが前記第２のサービスと共存することを可能にする異なるワイヤレスセルラーシステムを使用して前記データ転送をリダイレクトすることとを実行するために前記プロセッサによって実行可能なプログラムコードを含む、装置。
［Ｃ１２］
前記メモリが、前記モバイル端末上で前記第２のサービス選択を開始するためプログラムコードをさらに備える、請求項１１に記載の装置。
［Ｃ１３］
前記メモリが、前記第２のサービス選択が完了した後、前記モバイル端末上で前記第１のサービス選択を使用した前記データ転送の前記中断をクリアするためのプログラムコードをさらに備える、請求項１２に記載の装置。
［Ｃ１４］
前記第１のワイヤレスシステムがＬＴＥシステムに基づく、請求項１３に記載の装置。
［Ｃ１５］
前記第２のワイヤレスシステムが順方向リンク専用ワイヤレスブロードキャストシステムに基づく、請求項１４に記載の装置。
［Ｃ１６］
前記中断を前記クリアすることが、前記モバイル端末のＣｌａｓｓ  Ｍａｒｋ識別子をクリアすることによって実行されるか、またはモバイル端末スケジューラによって実行される、請求項１３に記載の装置。
［Ｃ１７］
前記データ転送の前記中断が前記モバイル端末の識別子を使用することによって実施される、請求項１１に記載の装置。
［Ｃ１８］
前記データ転送の前記中断が前記モバイル端末のＣｌａｓｓ  Ｍａｒｋ識別子を使用することによって実施される、請求項１１に記載の装置。
［Ｃ１９］
前記データ転送の前記中断がモバイル端末スケジューラによって実施される、請求項１１に記載の装置。
［Ｃ２０］
前記異なるワイヤレスシステムが、１ｘＥＶＤＯ、ＵＭＴＳまたはＧＳＭのうちの１つに基づく、請求項１１に記載の装置。
［Ｃ２１］
第１のサービスと第２のサービスとの間で共存するためのシステムソリューションを実施するための装置であって、
モバイル端末上で第１のワイヤレスセルラーシステムのための第１のサービス選択を許容するための手段と、
前記モバイル端末上で前記第１のサービス選択を使用してデータ転送を実行するための手段と、
前記モバイル端末上で第２のワイヤレスセルラーシステムのための第２のサービス選択を許容するための手段であって、前記第２のサービスによって使用される前記第２のワイヤレスセルラーシステムのチャネルが前記第１のサービスによって使用される前記第１のワイヤレスセルラーシステムのチャネルに干渉する、手段と、
前記モバイル端末上で前記第１のサービス選択を使用した前記データ転送の中断を実施するための手段と、
前記第１のサービスが前記第２のサービスと共存することを可能にする異なるワイヤレスセルラーシステムを使用して前記データ転送をリダイレクトするための手段とを備える、装置。
［Ｃ２２］
前記モバイル端末上で前記第２のサービス選択を開始するための手段をさらに備える、請求項２１に記載の装置。
［Ｃ２３］
前記第２のサービス選択が完了した後、前記モバイル端末上で前記第１のサービス選択を使用した前記データ転送の前記中断をクリアするための手段をさらに備える、請求項２２に記載の装置。
［Ｃ２４］
前記第１のワイヤレスシステムがＬＴＥシステムに基づく、請求項２３に記載の装置。
［Ｃ２５］
前記第２のワイヤレスシステムが順方向リンク専用ワイヤレスブロードキャストシステムに基づく、請求項２４に記載の装置。
［Ｃ２６］
前記中断を前記クリアすることが、前記モバイル端末のＣｌａｓｓ  Ｍａｒｋ識別子をクリアすることによって実行されるか、またはモバイル端末スケジューラによって実行される、請求項２３に記載の装置。
［Ｃ２７］
前記データ転送の前記中断が前記モバイル端末の識別子を使用することによって実施される、請求項２１に記載の装置。
［Ｃ２８］
前記データ転送の前記中断が前記モバイル端末のＣｌａｓｓ  Ｍａｒｋ識別子を使用することによって実施される、請求項２１に記載の装置。
［Ｃ２９］
前記データ転送の前記中断がモバイル端末スケジューラによって実施される、請求項２１に記載の装置。
［Ｃ３０］
前記異なるワイヤレスシステムが、１ｘＥＶＤＯ、ＵＭＴＳまたはＧＳＭのうちの１つに基づく、請求項２１に記載の装置。
［Ｃ３１］
コンピュータプログラムを記憶したコンピュータ可読媒体であって、前記コンピュータプログラムの実行が、
モバイル端末上で第１のワイヤレスセルラーシステムのための第１のサービス選択を許容することと、
前記モバイル端末上で前記第１のサービス選択を使用してデータ転送を実行することと、
前記モバイル端末上で第２のワイヤレスセルラーシステムのための第２のサービス選択を許容することであって、前記第２のサービスによって使用される前記第２のワイヤレスセルラーシステムのチャネルが前記第１のサービスによって使用される前記第１のワイヤレスセルラーシステムのチャネルに干渉することと、
前記モバイル端末上で前記第１のサービス選択を使用した前記データ転送の中断を実施することと、
前記第１のサービスが前記第２のサービスと共存することを可能にする異なるワイヤレスセルラーシステムを使用して前記データ転送をリダイレクトすることとを行うためのものである、コンピュータ可読媒体。
［Ｃ３２］
前記コンピュータプログラムの実行が、前記モバイル端末上で前記第２のサービス選択を開始するためのものでもある、請求項３１に記載のコンピュータ可読媒体。
［Ｃ３３］
前記コンピュータプログラムの実行が、前記第２のサービス選択が完了した後、前記モバイル端末上で前記第１のサービス選択を使用した前記データ転送の前記中断をクリアするためのものでもある、請求項３２に記載のコンピュータ可読媒体。
［Ｃ３４］
前記第１のワイヤレスシステムがＬＴＥシステムに基づく、請求項３１に記載のコンピュータ可読媒体。
【図１】
0005739022.tif 000003
【図２】
0005739022.tif 000004
【図３】
0005739022.tif 000005
【図４Ａ】
0005739022.tif 000006
【図４Ｂ】
0005739022.tif 000007
【図５Ａ】
0005739022.tif 000008
【図５Ｂ】
0005739022.tif 000009
【図６】
0005739022.tif 000010
【図７】
0005739022.tif 000011
【図８】
0005739022.tif 000012
【図９】
0005739022.tif 000013